(57)【要約】【課題】  良好にコードを巻き取ることができる、コード巻き取り機構付きヘッドホンを提供する。【解決手段】  ヘッドホンを構成するハウジング１Ｌ、１Ｒの片方もしくは両方の筐体内にコード巻き取り機構を内蔵し、左右の筐体を接合することにより係止が解除され、コードが巻き取られるようにしたものである。【選択図】      図３
2005064909.tif 000002
【特許請求の範囲】
【請求項１】
それぞれスピーカユニットが内蔵され、相互に接合可能なリブを有する第１及び第２のハウジングと、
前記第１のハウジング内部に一端が接続され、他端にプラグを有するプラグ付きコードと、
前記第１のハウジング内部に、バネの復元力により前記コードを巻き取るプラグ付きコード巻き取り手段と、前記プラグ付きコード巻き取り手段による巻き取りを規制する係止手段と、前記リブで第１のハウジングに第２のハウジングを接合した場合に前記係止手段によるプラグ付きコードの巻き取り規制を解除する解除手段を備える
ヘッドホン。
【請求項２】
請求項１記載のヘッドホンにおいて、
前記第１のハウジングと前記第２のハウジングとを接続する渡りコードを備え、
前記第１又は第２のハウジング内部に、バネの復元力により前記渡りコードを巻き取る渡りコード巻き取り手段と、前記渡りコード巻き取り手段による巻き取りを規制する係止手段と、前記リブで第１のハウジングに第２のハウジングを接合した場合に前記係止手段による渡りコードの巻き取り規制を解除する解除手段を備える
ヘッドホン。
【請求項３】
請求項２記載のヘッドホンにおいて、
前記第１及び第２のハウジングは、耳介に装着するためのハンガーを有する
ヘッドホン。
【請求項４】
請求項１記載のヘッドホンにおいて、
前記第１及び第２のハウジングを接続するヘッドバンドを有し、
前期ヘッドバンドを介して接続された前記第１のハウジングと前記第２のハウジングを前記リブにより結合できる形状とした
ヘッドホン。
【発明の詳細な説明】
【技術分野】
【０００１】
本発明は、コードをハウジング内に巻き取る機構を備えたヘッドホンに関する。
【背景技術】
【０００２】
近年、携帯型音響機器の発達に伴い、ヘッドホンが屋外でも多く用いられるようになった。さらに、若者を中心とした個性化の時代が進むにつれ、ヘッドホンにおいてもそのデザインを重視した製品への要求が高まっており、ヘッドバンドのない耳掛け装着方式のヘッドホンが広く普及し、その屋外使用の機会も増えてきた。
【０００３】
この耳掛け型ヘッドホンを携帯、収納する場合、筐体には細い棒状の耳掛けアームが設置され、また左右で筐体が独立している故、コードと筐体とが絡みやすく、大変煩わしい。このコードを処理すべく、従来、コードをばねの復元力で本体内のリールに巻き取る構造とし、コードの煩雑さを解決したものがあった。ところで、プラグ付きコードの巻き取り機構を備えたヘッドホンの場合、ユーザの耳介にヘッドホンを装着したまま巻き取りの係止を解除した場合、末端のプラグが勢い良く引き込まれる際に耳介や顔に当たることがあり、好ましくない。
【０００４】
これを解決する手段として、プラグを筐体に差し込むことでコードの筐体内部への巻き取りを防ぐ係止を解除し、コードを巻き取る機構が提案されている。図１２は従来のコード巻き取り機構を備えたヘッドホンの例を示した図である。内部にスピーカユニットが収納されたハウジング９０には、耳介に装着するためのハンガー９１が取り付けてある。また、先端にプラグ９３が取り付けられたコード９２がハウジング９０の内部の巻き取り機構９４により巻き取られる構成としてある。巻き取り機構９４による巻き取りは、内蔵されたバネの復元力を利用してあり、通常はロックがかかるようにしてある。ここで、コード９２の先端のプラグ９３を挿入するためのプラグ挿入部９５が、ハウジング９０に設けられており、図１２に示すようにプラグ９３をプラグ挿入部９５に挿入させた場合に、プラグ９３の先端９３ａが矢印Ｒで示すように巻き取り機構９４のロックを外してコード９２を巻き取るようにしてある。
【０００５】
特許文献１には、上記従来のコード巻き取り機構を備えたヘッドホンについて開示されている。
【特許文献１】特開２００２−１０３８５号公報
【発明の開示】
【発明が解決しようとする課題】
【０００６】
しかし、この図１２に示した構成では、構造上巻き取り終わった状態ではプラグ９３のブッシング部９３ｂが湾曲してしまい、次に使うときにも曲がったままで見た目が悪く、コードに無理な力がかかることになる。また、このようにコードを湾曲させてしまうと、コード内部の信号線の断線にもつながるなど、耐久性に問題がある。
【０００７】
本発明の目的は、良好にコードを巻き取ることができる、コード巻き取り機構付きヘッドホンを提供することにある。
【課題を解決するための手段】
【０００８】
本発明は、ヘッドホンを構成するハウジングの片方もしくは両方の筐体内にコード巻き取り機構を内蔵し、左右の筐体を接合することにより係止が解除され、コードが巻き取られるようにしたものである。
【０００９】
このようにしたことで、左右の筐体を接合することで係止が解除されるため、コードの巻き取りは耳介に装着したままでは行えなくなり、装着されたままでコードやプラグが巻き取られることがなくなる。更に、左右の筐体を接合した形でコードを巻き取るため、左右のヘッドホンが一体となり、携帯性に優れた形状にすることができる。
【発明の効果】
【００１０】
本発明によると、ヘッドホンを構成する左右のハウジングの筐体を接合することでコードを巻き取るため、コードに無理な力がかからず、良好に巻き取ることができる。
【００１１】
また、本発明によると、左右で独立していた筐体を１つに連結することで係止を解除するため、ユーザの耳介にヘッドホンを装着したままコードを巻き取ることがなく、コードの末端のプラグが勢い良く引き込まれる際に耳介や顔に当たるのを防ぐことができる。
【００１２】
また、本発明によると、左右の筐体が１つにまとまるため、収納性、携帯性が向上する。
【発明を実施するための最良の形態】
【００１３】
以下、本発明の一実施の形態を、図１〜図５を参照して説明する。
【００１４】
図１は、本例のヘッドホンの外観図、図２は本例のヘッドホンを構成するハウジング１Ｌ、１Ｒを接合した状態の外観図である。本例のヘッドホンは、樹脂形成された左右一対のハウジング１Ｌ、１Ｒで構成してあり、それぞれのハウジング１Ｌ、１Ｒ内に音響出力を行うスピーカユニット（図示せず）を内蔵させてある。スピーカユニットは、後述するコード３、４を介して外部の音響機器から供給されたオーディオ信号に対応した音響を出力するようにしてある。ハウジング１Ｌ、１Ｒには耳に掛けるためのハンガー２Ｌ、２Ｒを取り付けてあり、渡りコード３によって左右のハウジング１Ｌ、１Ｒ同士を接続している。音響機器に接続されるプラグ５の付いたプラグ付きコード４は、一方のハウジング、本例の場合では、左側のハウジング１Ｌに接続してオーディオ信号を入力する。渡りコード３は、入力されたオーディオ信号を左側のハウジング１Ｌから右側のハウジング１Ｒ内のスピーカユニットに供給する。ハウジング１Ｌ、１Ｒの表面の端部には、左右のハウジングを接合するための固定用リブ６Ｌ、６Ｒを形成してある。本例の場合、固定用リブ６Ｌ、６Ｒは、櫛歯状に形成させたリブとしてあり、それぞれのハウジング１Ｌ、１Ｒを耳介に装着させた場合に、頭部の前面（顔）寄りになる端部になる位置にリブ６Ｌ、６Ｒを形成させてある。左側のハウジング１Ｌのリブ６Ｌと、右側のハウジング１Ｒのリブ６Ｒは、図２に示すように嵌め合わせて接合することができる構成としてある。
【００１５】
また、固定用リブ６Ｌ、６Ｒの一部にコードを巻き取った状態を保持、解除するためのリリースレバー７Ｌ、７Ｒを設置してある。図５は右側のハウジング１Ｒのリブ６Ｒ部を拡大した斜視図である。リブ６Ｒは櫛歯状に形成し、凸部６１と、凹部６２とで構成してある。図示していないが、左側のハウジング１Ｌのリブ６Ｌは、右側のリブ６Ｒの凸部６１と嵌め合う形状の凹部と、凹部６２と嵌め合う形状の凸部とで構成する。リリースレバー７Ｒはハウジング１Ｒの筐体内にその機構を配置するが、その先端部分の突出部７Ｒａを固定用リブの凹部６２ａに突出するように構成する。リリースレバー７Ｒの突出部７Ｒａは、左側のハウジング１Ｌのリブ６Ｌと嵌め合うことにより、リブ６Ｌの凸部によりハウジング１Ｒの内部に押し込まれるように構成してある。
【００１６】
図２は、左右の固定用リブ６Ｌ、６Ｒを接合した状態を示している。左側のハウジング１Ｌのリリースレバー７Ｌの突出部７Ｌａは、右側のリブ６Ｒの凸部によりハウジング１Ｌ内部に押し込まれて係止を解除し、同様に、右側のハウジング１Ｒのリリースレバー７Ｒの突出部７Ｒａは、左側のリブ６Ｌの凸部によりハウジング１Ｒの内部に押し込まれて係止を解除する。係止が解除されたことにより、渡りコード３及びプラグ付きコード４がハウジングの筐体内に巻き取られ、本例では、渡りコード３は右側のハウジング１Ｒ内部に巻き取り、プラグ付きコード４は左側のハウジング１Ｌ内部に巻き取る。図２に示すように、プラグ付きコード４がすべて巻き取られた状態では、プラグ５の一部のみがハウジング１Ｌの外部に出た状態でコードが収納される。
【００１７】
次に、図３、図４を用いて、本例のヘッドホンの内部構造について説明する。図３は、ヘッドホンの内部の巻き取り構造を示した平面図、図４はコードを巻き取り途中の状態のヘッドホンの内部の巻き取り構造を示した平面図である。左右のハウジング１Ｌ、１Ｒ内部には、図示しないスピーカユニットの他に、コードを巻き取るためのゼンマイバネ８Ｌ、８Ｒを固定してあり、リール９Ｌ、９Ｒを回転可能に取り付けてある。更に、コードを巻き取った状態を維持、解除するためのリリースレバー７Ｌ、７Ｒをリール９Ｌ、９Ｒの外周に接する位置に配置し、固定してある軸１１Ｌ、１１Ｒに回転自在に取り付けてある。リリースレバー７Ｌ、７Ｒの片端の突出部７Ｌａ、７Ｒａは固定用リブ６Ｌ、６Ｒの凹部に突出するように構成し、別の端にある係止部７Ｌｂ、７Ｒｂはリール９Ｌ、９Ｒに接するように構成してある。このリリースレバー７Ｌ、７Ｒをリール９Ｌ、９Ｒ側へ押さえるためのコイルバネ１０Ｌ、１０Ｒを、リール９Ｌ、９Ｒの外側にリリースレバー７Ｌ、７Ｒの係止部７Ｌｂ、７Ｒｂと接する位置に設けてある。
【００１８】
以上説明した構成において、コード巻き取り時の動作について説明する。図３は、係止機構によりゼンマイバネ８Ｌ、８Ｒがコードを巻き取ろうとするのをロックしている状態を示している。リール９Ｌ、９Ｒの外周には、鋸歯状の凹凸部９Ｌａ、９Ｒａを複数箇所設けてあり、その凹凸部により外周を均等に分割している。本例では、外周を３分割し、凹凸部を３箇所設けている。リリースレバー７Ｌ、７Ｒの係止部７Ｌｂ、７Ｒｂは、ヘッドホンが左右分離した状態ではリールの凹凸部９Ｌａ、９Ｒａに落ち込んだところでコイルバネ１０Ｌ、１０Ｒにより押さえられ、係止する。係止部７Ｌｂ、７Ｒｂがリールの凹凸部９Ｌａ、９Ｒａに落ち込むことで、リール９Ｌ、９Ｒがゼンマイバネ８Ｌ、８Ｒの復元力により図３に示す矢印Ａ方向に回転しようとするのを防ぎ、コードが巻き取られなくなるため、コードの状態を保持する。
【００１９】
ヘッドホンのコードを収納する場合は、図４に示したように左右のハウジング１Ｌ、１Ｒの固定用リブ６Ｌ、６Ｒを接合する。こうすることにより、固定用リブ６Ｌ、６Ｒの凹部に突出していたリリースレバーの突出部７Ｌａ、７Ｒａが左右互いに相手の固定用リブの凸部によって押し込まれ、リリースレバー７Ｌ、７Ｒが軸１１Ｌ、１１Ｒを軸に回転することにより、係止部７Ｌｂ、７Ｒｂがリールの凹凸部９Ｌａ、９Ｒａから離れるため、係止を解除する。係止が解除されると、ゼンマイバネ８Ｌ、８Ｒの復元力によりリール９Ｌ、９Ｒが図４に示す矢印Ａ方向に回転して、左側のリール９Ｌはプラグ付きコード４を、右側のリール９Ｒは渡りコード３を巻き取る。
【００２０】
次に、ヘッドホンのコードを引き出す場合について図３を参照して説明する。プラグ付きコード４をハウジング１Ｌから引き出す場合は、まず、左右のハウジング１Ｌ、１Ｒを分離する。左右のハウジング１Ｌ、１Ｒを分離することにより、固定用リブ６Ｌ、６Ｒの凸部により押し込まれていたリリースレバーの突出部７Ｌａ、７Ｒａのロックがはずれ、コイルバネ１０Ｌ、１０Ｒが、リリースレバーの係止部７Ｌｂ、７Ｒｂをリール９Ｌ、９Ｒ側へ押さえることにより、リリースレバー７Ｌ、７Ｒが軸１１Ｌ、１１Ｒを軸に回転し、リリースレバーの突出部７Ｌａ、７Ｒａが固定用リブ６Ｌ、６Ｒの凹部へ突出する。その結果、先に説明した係止された状態になる。そして、プラグ付きコード４を左側のハウジング１Ｌから図３に示す矢印Ｂ方向に引き出すと、それに伴ってリール９Ｌが矢印Ｃ方向に回転する。このとき、リリースレバー７の係止部７Ｌｂはコイルバネ１０Ｌによってリール９Ｌの外周に押さえられているため、係止部７Ｌｂはリール９Ｌの外周に沿って、凹凸部９Ｌａに落ち込みながら回転する。必要な長さまで引き出したときに、コードの引き出しを停止すると、ゼンマイバネ８Ｌの復元力により、リール９Ｌが図３に示す矢印Ａ方向に回転するが、係止部７Ｌｂがリール９Ｌの凹凸部９Ｌａに落ち込むことで、回転が停止し、係止する。同様に、渡りコード３をハウジング１Ｒから引き出す場合は、左右のハウジング１Ｌ、１Ｒを分離し、右側のハウジング１Ｒから図３に示す矢印Ｄ方向にコードを引き出す。それに伴い、ハウジング１Ｒ内で前記同様の動作が行われ、コードを適当な長さに引き出した後、係止することができる。
【００２１】
このように、左右のハウジング内でそれぞれプラグ付きコード４、渡りコード３を巻き取る構造としたことで、両方のコードを同時に巻き取ることができるとともに、それぞれのコードの長さを自由に調整することができる。また、リリースレバー７Ｌ、７Ｒは、固定用リブ６Ｌ、６Ｒの凹部にその突出部７Ｌａ、７Ｒａを突出する形で設置してあるため、ハウジング１Ｌ、１Ｒを１つに接合して固定用リブ６Ｌ、６Ｒを嵌め合わせることでしか係止を解除できない。そのため、ユーザがヘッドホンを耳介に装着したままではコードを巻き取ることはできない。
【００２２】
なお、ここでは、プラグ付きコードと渡りコードを左右それぞれのハウジング内に巻き取る構成について説明したが、それらのコードを左右どちらか一方のハウジング内に巻き取る構成とすることも可能である。
【００２３】
また、ハウジングの筐体を接合させるための固定用リブを、別の形状にして実現することもできる。図６は、右側のハウジング１Ｒのリブ６Ｒ部を拡大した斜視図である。リブ６Ｒは櫛歯状に形成し、凸部６１と、凹部６２とで構成してある。本例では、凸部の中央部分を複数箇所段付きの凸部６１ａとしている。図示していないが、左側のハウジング１Ｌのリブは、右側のリブ６Ｒの段付き凸部６１ａと嵌め合う際に接する部分の凸部に同様の段を付ける。また、リリースレバー７Ｒの先端部分の突出部７Ｒａは、リブの凹部６２ａに突出してある。コードを巻き取る場合には、左右のハウジングの固定用リブ６Ｌ、６Ｒを嵌め合わせるが、本例の場合、リブ部分を弾力のある材質で形成した場合は、図６に示す矢印Ｘ方向に向けて左右のハウジングを嵌め込み、弾力の少ない材質で形成した場合は、図６に示す矢印Ｙ方向に向けて、左右のハウジングを上下に嵌め込む。左右のハウジングを嵌め合うことにより、リリースレバー７Ｌ、７Ｒの突出部７Ｌａ、７Ｒａがハウジング１Ｌ、１Ｒの内部に押し込まれ、係止を解除するように構成する。本例では、固定用リブ部分に段を付けているため、その重なり合う部分により左右のハウジングの接合を保持することができ、左右のハウジングが容易に分離しないようになる。
【００２４】
また、図７は、固定用リブの形状を波状にした場合の、右側のハウジング１Ｒの固定用リブ６Ｒ´部を拡大した斜視図である。他の例と同様に、波状のリブ６Ｒ´の凹部６２ａ´にリリースレバー７Ｒの先端部分の突出部７Ｒａを突出してある。図示しない左側のハウジング１Ｌのリブは、右側のリブ６Ｒ´と嵌め合う形状の波状に形成し、左右のリブを嵌め合わせることでリリースレバー７Ｌ、７Ｒの突出部７Ｌａ、７Ｒａがハウジング１Ｌ、１Ｒの内部に押し込まれ、係止を解除するように構成する。本例では、波状の凹凸部が互いに噛み合う構造とすることで、ハウジングの接合を保持するとともに、リブ部分を曲線にすることにより、手や顔などに当たった場合の衝撃を和らげることができる。
【００２５】
以上説明したような形状にすることで、固定用リブを外れにくくし、携帯時でも安定した状態で左右のハウジングをまとめておくことができる。また、固定用リブを形成する部位として、本例では、ハウジングを耳介に装着させた場合に、頭部の前面（顔）寄りになる端部になる位置に形成するものとし、ハウジングを横から接合する形状で説明したが、ハウジングの耳介に当たる面とは反対側の面に固定用リブを設置し、左右のハウジングの面同士を接合する形状として実現することも可能である。また、リブ部分の材質は、左右のハウジングを安定した状態で接合できるものであればよい。このように、固定用リブの形状や、その部位、または材質については特に限定しない。
【００２６】
また、本例では、耳掛け型ヘッドホンについて説明したが、本例のコード巻き取り手段は、ヘッドバンドを有するヘッドホンにも、同様の機構を適用することにより容易に実現できる。図８は、ヘッドバンドを有するヘッドホンに本例のコード巻き取り手段を適用した例を示す外観図であり、図９は、そのヘッドホンを接合させた例を示す外観図である。図８において、左右のハウジング２１Ｌ、２１Ｒの内部には音響出力を行うスピーカユニット（図示せず）を内蔵し、ヘッドバンド２６と連結部材２７Ｌ、２７Ｒを介して左右のハウジング２１Ｌ、２１Ｒを接続するように構成してある。また、各ハウジング２１Ｌ、２１Ｒは、連結部材２７Ｌ、２７Ｒを介して１８０°反転できる構成としてある。各ハウジング２１Ｌ、２１Ｒに内蔵してあるスピーカユニットは、音響機器に接続するプラグ２５の付いたプラグ付きコード２４を介して外部の音響機器から供給されたオーディオ信号に対応した音響を出力する。プラグ付きコード２４は、一方のハウジング、本例では、左側のハウジング２１Ｌに接続し、ハウジング２１Ｌ内のスピーカユニットにオーディオ信号を供給する。供給されたオーディオ信号は、ヘッドバンド２６内を通って左右のハウジングを接続するコード（図示せず）を介して、右側のハウジング２１Ｒ内のスピーカユニットに供給される。左右のハウジング２１Ｌ、２１Ｒには、内部のスピーカユニットからの音響が出力される耳介に当たる側の面とは反対側の面に、固定用リブ２２Ｌ、２２Ｒを設けてある。プラグ付きコード２４の接続する側の固定用リブ２２Ｌの凹部にリリースレバー２３を配置する。ハウジング２１Ｌ内部には、上記図３、図４で説明したのと同様のコード巻き取り機構及び係止機構を備え、リリースレバー２３の突出部をハウジング２１Ｌ内に押し込むことにより、係止が解除され、コードを巻き取る構造としてある。
【００２７】
図９は、左右のヘッドホンを接合し、コードを巻き取った状態を示している。コードの巻き取り時は、ハウジング２１Ｌ、２１Ｒを連結部材２７Ｌ、２７Ｒを介して１８０°反転し、互いに相対した左右の固定用リブ２２Ｌと２２Ｒを接合する。固定用リブ２２Ｌ、２２Ｒを接合することで、リリースレバー２３をハウジング２１Ｌ内部に押し込み、係止を解除して、プラグ付きコード２４をハウジング２１Ｌ内に巻き取る。このようにすることで、ヘッドバンドを有するヘッドホンに関しても、左右のハウジングを接合することでコードを巻き取ることができる。そのため、ユーザがヘッドホンを装着したままでコードを巻き取ることがなくなり、また、左右のハウジングを接合するため、収納性、携帯性に優れた形状にすることができる。
【００２８】
図１０は、ヘッドバンドを有するヘッドホンに本例のコード巻き取り手段を適用した他の例を示す外観図であり、図１１は、そのヘッドホンをたたみ込み、コードを収納した状態の例を示す外観図である。図１０及び図１１において、図８及び図９と同じ構成の部分については、同一の符号を付けて説明を省略する。図１０において、左右のハウジング２１Ｌ、２１Ｒを接続するヘッドバンド２６の湾曲部の内径側、即ち、ユーザがヘッドホンを装着した際に頭部へ接する側に、左右それぞれ固定用リブ２８Ｌ、２８Ｒを設ける。プラグ付きコード２４をハウジング２１Ｌ内に巻き取る場合、上記例では、左右のハウジング同士を接合することで係止を解除したが、本例では、左側のハウジング２１Ｌを連結部材２７Ｌを介して上方向へたたみ込み、ハウジング２１Ｌ内部のスピーカユニットからの音響が出力される、耳介に当たる側の面とは反対側の面に設けた固定用リブ２２Ｌと、ヘッドバンド２６に設けた固定用リブ２８Ｌとを接合することで、リブ２２Ｌの凹部に設けたリリースレバー２３をハウジング２１Ｌ内に押し込み、係止を解除する。係止を解除することで、プラグ２５を接続したコード２４をハウジング２１Ｌの内部へ巻き取る。なお、右側のハウジング２１Ｒに設けた固定用リブ２２Ｒと、ヘッドバンド２６に設けた固定用リブ２８Ｒも同様に接合することができ、左右のハウジングを同じ形状でたたみ込むことができるため、収納性、携帯性に優れた形状にすることができる。なお、ヘッドバンドを有するヘッドホンに関しても、固定用リブの形状や設置部位やその材質は特に限定しない。
【図面の簡単な説明】
【００２９】
【図１】本発明の一実施の形態によるヘッドホンの例を示す外観図である。
【図２】本発明の一実施の形態によるヘッドホンのハウジングを接合させた状態の例を示す外観図である。
【図３】本発明の一実施の形態によるヘッドホンの内部構造例を示す平面図である。
【図４】本発明の一実施の形態によるヘッドホンのハウジングを接合させた状態の内部構造例を示した平面図である。
【図５】本発明の一実施の形態による固定用リブ部分を拡大した斜視図である。
【図６】本発明の他の実施の形態による固定用リブ部分を拡大した斜視図である。
【図７】本発明の更に他の実施の形態による固定用リブ部分を拡大した斜視図である。
【図８】本発明の他の実施の形態によるヘッドバンドを有するヘッドホンの例を示す外観図である。
【図９】本発明の他の実施の形態によるヘッドバンドを有するヘッドホンのハウジングを接合させた状態の例を示す外観図である。
【図１０】本発明の更に他の実施の形態によるヘッドバンドを有するヘッドホンの例を示す外観図である。
【図１１】本発明の更に他の実施の形態によるヘッドバンドを有するヘッドホンのハウジングをたたみ込んだ状態の例を示す外観図である。
【図１２】従来のコード巻き取り機構を備えたヘッドホンの例を示す説明図である。
【符号の説明】
【００３０】
１Ｌ，１Ｒ…ハウジング、２Ｌ，２Ｒ…ハンガー、３…渡りコード、４…プラグ付きコード、５…プラグ、６Ｌ，６Ｒ…固定用リブ、７Ｌ，７Ｒ…リリースレバー、７Ｌａ，７Ｒａ…突出部、７Ｌｂ，７Ｒｂ…係止部、８Ｌ，８Ｒ…ゼンマイバネ、９Ｌ，９Ｒ…リール、９Ｌａ，９Ｒａ…凹凸部、１０Ｌ，１０Ｒ…コイルバネ、１１Ｌ，１１Ｒ…軸、２１Ｌ，２１Ｒ…ハウジング、２２Ｌ，２２Ｒ…固定用リブ、２３…リリースレバー、２４…プラグ付きコード、２５…プラグ、２６…ヘッドバンド、２７Ｌ，２７Ｒ…連結部材、２８Ｌ，２８Ｒ…固定用リブ、６１，６１ａ…リブの凸部、６２，６２ａ…リブの凹部、６Ｒ´…波状リブ、６２ａ´…波状リブの凹部、９０…ハウジング、９１…ハンガー、９２…コード、９３…プラグ、９３ａ…先端部、９３ｂ…ブッシング部、９４…巻き取り機構、９５…プラグ挿入部
【図１】
2005064909.tif 000003
【図２】
2005064909.tif 000004
【図３】
2005064909.tif 000005
【図４】
2005064909.tif 000006
【図５】
2005064909.tif 000007
【図６】
2005064909.tif 000008
【図７】
2005064909.tif 000009
【図８】
2005064909.tif 000010
【図９】
2005064909.tif 000011
【図１０】
2005064909.tif 000012
【図１１】
2005064909.tif 000013
【図１２】
2005064909.tif 000014